(57)【特許請求の範囲】
【請求項１】
天井埋込型空気調和機のユニット本体をボルトを用いて天井空間に吊り下げて設置するときに、当該ユニット本体の下面に取付けられ、天井板の開口寸法、及び天井板とユニット本体間の間隔寸法を規定する目安となる設置位置規定部材を備え、
この設置位置規定部材は、皿形であり、且つ、予定される前記天井板の開口の大きさと略等しくなるように形成されるとともに、前記設置位置規定部材には、前記ボルトの調整のために開口する穴が設けられ、この穴には、当該穴を閉塞する除去予定部が除去可能に設けられ、梱包時には前記ユニット本体を皿形に受けるとともに、各寸法規定の目安とするときには、前記設置位置規定部材を逆皿状に反転してその上面を前記ユニット本体の下面に取付けることを特徴とする空気調和機。
【発明の詳細な説明】
【０００１】
【発明の属する技術分野】
本発明は、天井埋込型空気調和機を天井に設置するときに用いられる天井開口寸法規定部材を有する空気調和機に関する。
【０００２】
【従来の技術】
一般に、室内側熱交換器、ファン、ファンモータなどを収納するユニット本体を有する天井埋込型空気調和機は知られている。この種のものでは、天井裏にユニット本体を設置するが、これを設置するときには、まず吊りボルトなどを用いてユニット本体を天井裏に吊り下げ、その後に天井板を張り、この天井板にはユニット本体の開口が室内に臨むように、所定の開口寸法で規定された開口をあけ、この開口には化粧パネルを取付けている。
【０００３】
【発明が解決しようとする課題】
しかしながら、従来では、どの程度の大きさの開口を、天井板のどの位置にあけるか、或いはまた、天井板からユニット本体をどの程度引っ込ませて取付けるか等に関しては、熟練を要する問題であり、これらの作業はこの種の天井埋込型空気調和機の設置作業上きわめて困難な作業になっている。
【０００４】
そこで、本発明の目的は、天井板の開口寸法、及び天井板とユニット本体間の間隔寸法を、作業上、熟練を要することなく、きわめて簡単に規定することのできる天井埋込型空気調和機を提供することにある。
【０００５】
【課題を解決するための手段】
請求項１に記載の発明は、天井埋込型空気調和機のユニット本体をボルトを用いて天井空間に吊り下げて設置するときに、当該ユニット本体の下面に取付けられ、天井板の開口寸法、及び天井板とユニット本体間の間隔寸法を規定する目安となる設置位置規定部材を備え、この設置位置規定部材は、皿形であり、且つ、予定される前記天井板の開口の大きさと略等しくなるように形成されるとともに、前記設置位置規定部材には、前記ボルトの調整のために開口する穴が設けられ、この穴には、当該穴を閉塞する除去予定部が除去可能に設けられ、梱包時には前記ユニット本体を皿形に受けるとともに、各寸法規定の目安とするときには、前記設置位置規定部材を逆皿状に反転してその上面を前記ユニット本体の下面に取付けることを特徴とするものである。
【０００７】
これによれば、梱包に使用された設置位置規定部材を、梱包を解いた後、ユニット本体の下面に取付けるだけで、天井板の開口寸法、及び天井板とユニット本体間の間隔寸法を規定する目安となるので、熟練を要することなく、所定の大きさの開口を天井板に迅速にあけることができる。
【０００８】
【発明の実施の形態】
以下、本発明の一実施の形態を添付図面に従って説明する。
図１は、本発明の空気調和装置の一実施の形態の平面図であり、図２はこの空気調和装置の断面図である。図２に示すように、この空気調和装置は、建屋４０の天井空間１１内に吊り下げて固定される天井埋込型の空気調和機１０を有している。空気調和機１０の化粧パネル１４の中央には吸込口１６が開口し、そこには吸込グリル５２が設けられている。化粧パネル１４の吸込口１６の四方周囲位置には合計４つの吹出口１８が開口している。
【０００９】
空気調和機１０のユニット本体２２には、図１に示すように、ファンモータ２４、ターボファン２６、仕切板２８、ドレンポンプ３０、ドレン排水口３２、冷媒配管３４、運転制御用の電装箱３６、ほぼ矩形状に曲げられた熱交換器３８などが設けられている。そして、ファン２６が回転駆動されると、空気が吸込口１６から吸い込まれ、熱交換器３８に送られ、この熱交換器３８で熱交換した後、空気調和された空気は、吹出口１８から室内Ｒに吹き出される。なお、熱交換器３８には冷媒配管３４がつながれ、該熱交換器３８には冷媒配管３４を通じて図示しない室外機から冷媒が供給されている。建屋４０からは４本のボルト４２が垂直下方に設定され、これらのボルト４２は、ユニット本体２２に固定された吊り金具４４に連結されている。
【００１０】
図１のユニット本体２２内のファンモータ２４を作動すると、ターボファン２６が回転するので、室内Ｒの空気は図２の吸込口１６から吸い込まれてエアフィルター２０で清浄化され、熱交換器３８に送られ、この熱交換器３８で熱交換された後に、４か所の吹出口１８から室内Ｒに吹き出される。
【００１１】
このような天井埋込型空気調和機では、図３に示すように、ユニット本体２２を天井空間１１に設置するとき、まずボルト４２を用いて天井空間１１にユニット本体２２が吊り下げられ、その後に天井板１００が張られる。
この天井板１００には、ユニット本体２２の開口が室内に臨むように、所定の開口寸法で規定された開口１０１があけられ、この開口１０１を塞ぐように、上述の化粧パネル１４（図２参照）が取付けられる。
【００１２】
この実施の形態によれば、開口１０１の大きさ、及び天井板１００とユニット本体２２間の間隔δを規定する目安としての、設置位置規定部材１０５が使用される。この設置位置規定部材１０５は、図４に示すように、ダンボール紙で皿形に成形されている。空気調和機の出荷時には、図５に示すように、設置位置規定部材１０５は、ユニット本体２２の下部にあてがわれ、ユニット本体２２を皿形に受けている。このユニット本体２２の上部には、同じくダンボール紙で皿形に成形された梱包部材１０７が被せるようにあてがわれ、その上から二本のＰＰバンド１１２で結束されている。尚、ユニット本体２２はポリエチレン袋１０９で覆われる。
【００１３】
梱包に使用された設置位置規定部材１０５は、梱包を解いた後に、図３に示すように、逆皿状に反転してその上面をユニット本体２２の下面に例えば接着剤などを用いて取付けられる。図４に示すように、設置位置規定部材１０５の大きさＬａ、Ｌｂは、予め予定される天井板１００の開口１０１の大きさと略等しくなるように形成されており、高さＨは、予め予定される天井板１００とユニット本体２２間の間隔δ（図３参照）と略等しくなるように形成されている。
【００１４】
これによれば、図３に示すように、設置位置規定部材１０５を下面に取付けたユニット本体２２を、天井空間１１に吊り下げると、設置位置規定部材１０５の下面が天井板１００とほぼ一致する。このようにした後に、設置位置規定部材１０５を避けるようにして天井板１００を貼ると、設置位置規定部材１０５を取り除いた後には、天井板１００に正確な大きさの開口１０１が形成される。この開口１０１には化粧パネル１４が取付けられるが、これによれば、開口１０１はきわめて簡単に形成されることになる。
【００１５】
尚、天井板１００とユニット本体２２間の間隔δについては、ユニット本体２２を天井空間１１に吊り下げるときに、設置位置規定部材１０５の下面が天井板１００とほぼ一致するまで、ユニット本体２２を上下させればよい。ユニット本体２２の上下はボルト４２の調整により行われる。
ボルト４２の調整のための工具は、図４を参照し、設置位置規定部材１０５の四隅に設けられる穴１１１を通じて挿入される。この穴１１１は、当初は開口しておらず、例えばミシン目などでつながる除去予定部を作っておいて、必要に応じて除去予定部を除去するようにすればよい。
【００１６】
この実施の形態によれば、従来のものに比べて、梱包要素の数が極めて少なくなり、即ち、設置位置規定部材１０５と、ポリエチレン袋１０９と、梱包部材１０７と、二本のＰＰバンド１１２だけであり、梱包費用のコストダウンが図られる。尚、設置位置規定部材１０５と梱包部材１０７とは略同じ形をしており、共に二本のＰＰバンド１１２で結束される際には、積層ダンボール紙１１３（図５参照）がコーナ部に取付けられ、その強度が高められている。尚、この梱包部材１０７は設置位置規定部材１０５と略同じ形であるため、この梱包部材１０７を設置規定部材として使用することもできる。この際は位置規定部材を逆皿状に反転する必要はない。
【００１７】
【発明の効果】
以上説明したように、この発明によれば、梱包に使用された設置位置規定部材を、梱包を解いた後、ユニット本体の下面に取付けるだけで、この設置位置規定部材は、天井板の開口寸法、及び天井板とユニット本体間の間隔寸法を規定する目安となるので、作業者にとっては熟練を要することなく、所定の大きさの開口を天井板に迅速にあけることができる。
【図面の簡単な説明】
【図１】本発明の空気調和装置の実施の形態を示す底面図である。
【図２】図１の空気調和装置の断面図である。
【図３】天井にユニット本体を吊り下げた状態を示す側面図である。
【図４】設置位置規定部材の斜視図である。
【図５】ユニット本体の梱包状態を示す分解斜視図である。
【符号の説明】
１０  空気調和機
１４  化粧パネル
１６  吸込口
２２  ユニット本体
１００  天井板
１０１  開口
１０５  設置位置規定部材
１０７  梱包部材
【図１】
0003599840.tif 000002
【図２】
0003599840.tif 000003
【図３】
0003599840.tif 000004
【図４】
0003599840.tif 000005
【図５】
0003599840.tif 000006